(57)【要約】【課題】美しい環境にあって静謐であり、拡大しても敷地の問題が無く、適切な価格で提供できる霊園を提供する。【解決手段】  １  は、墓碑を置くブロックであり、２はお骨を封入した墓碑である。２の墓碑をブロックの上面又は内部に鎮座させ、水深２０ｍから３０ｍの海底に設置し海底霊園を設営する。ブロックの数は、ほぼ無限に増やすことができる。【選択図】  図１
2005102670.tif 000002
【特許請求の範囲】
【請求項１】
コンクリート製もしくは鋼鉄製の人工魚礁の役割も果たすブロック（１）の上面もしくは内部に、お骨を封入密閉した墓碑（２）を固定し、これを海底に設置して設営する海底霊園。人工魚礁の分野では魚礁の単体をブロックと呼ぶのでここでもブロックという語を採用した。
【発明の詳細な説明】
【発明の詳細な説明】
【技術分野】
【０００１】この発明は、人工魚礁の機能を持つ海底霊園の設置に関するものである。
【背景技術】
【０００２】美しい環境にあって静謐であり、拡大しても敷地の問題が無く、適切な価格で提供できる霊園が強く求められている。霊園は、従来の伝統的なものだけではなく、森林霊園、地下霊園、リゾート霊園、など多様化することによって需要を満たそうとしているが、海底に設営するものはまだ見られない。【０００３】沿岸漁業の振興のために、魚介類を増殖し、魚介類を集める人工魚礁を海底に設置する事業が国、及び地方公共団体などの予算で大きく行われている。海は広く大きく豊かであるが、沿岸部の海は人の手で守り育てて行かなくてはならない。人工魚礁設置事業は、いくら大きく拡大しても、これで足りるということはない。魚介類に関連する目的だけではなく、人工魚礁を多目的に使用できるようにすることが求められているが、具体的で適切なものはまだ見られない。
【発明が解決しようとする課題】
【０００４】都市への人口集中、高齢化社会、核家族、経済成長率の低下と言う条件の下で、それぞれの家族が満足できる霊園が都市から適切な距離にあり、適切な価格で獲得できることが強く求められている。
【０００５】レクリエーションとしてのスクーバダイビングの普及により、水深３０ｍまでは、専門家でなくても容易に潜水できるようになった。現在、レクリエーションとしてスクーバダイビングを行う人の数は、およそ１００万人と言われる。これらのレクリエーションダイバーに対して、タンクなどのレンタル、ガイド、ボートの運航などのサービスを行うダイビングサービス施設が民間業者や漁業協同組合の手によって運営されている。都会からの交通の便が適切であり、海の生物が豊かであるレクリエーションダイビング適地の殆どでこのようなダイビングサービス施設が設営されているが、過当競争の気味があり新しいビジネス展開が求められている。
【課題を解決するための手段】
【０００６】水深３０ｍは波の影響を殆ど受けることが無く、台風の時でも静かであり、沈黙と静謐の世界である。水深３０ｍの海底は色彩鮮やかなソフトコーラルが繁茂しており海底の花園である。魚礁には大小さまざまな魚が群れるから、にぎやかな世界でもある。ダイビングを習得すれば、容易に墓参ができる。ダイビングを習得できない人には水面の船上から墓参ができるし、海辺から海に向かって礼拝することもできる。本発明の海底霊園はほぼ制限無く拡大することができる。
【０００７】本発明の海底霊園をダイビングサービス施設の一環として設営すれば、墓参ダイビングツアーを受け入れることができ、霊園の保持サービスなども適切に行うことができる。
【０００８】本発明の霊園を設営する場所として、千葉県房総半島に先端部を想定している。港から３分ほどボートで走ったあたりに、スポーツ、レクリエーションで潜水するダイバーたちの潜るポイントがある。このような場所をダイビングポイントと呼んでいるが、ダイビングポイントには大きな錨が入れてあって、錨から太いロープが立ち上がって水面の大型ブイにつながっている。ダイビング客の乗る漁船型のボートはこのブイに係留され、ダイバーは水に入る。
【０００９】ダイビングポイントの海底は、磯根が発達していて、たくさんの魚が居る。原則として、ダイビングポイントでは釣などの漁は行われないので、魚は安心していて、逃げないし、数も多い。マダイ、ヒラメ、イサキの群れ、巨大なマハタなどが、磯に棲みついている。通常の磯よりもやや沖側、水深３０ｍ近くで周囲が平坦な場所に霊園である人工魚礁を設置する。水深２０ｍを越すと、大型の刺胞動物であるウミトサカなどのソフトコーラルが群落を作っているが、美しいソフトコーラルは磯根の岩盤よりも、人工魚礁のような構造物によく付着するから、およそ３年で霊園は完全に色鮮やかなソフトコーラルの花園になる。
【発明を実施するための最良の形態】
【００１０】現在、人工魚礁設置は国の事業として広く行われており、材質はコンクリート、あるいは鋼鉄で、一辺が１．５メートルの小さな角型から、一辺が３から５メートルの大きな角型、あるいは一個で１０００立方メートルの超大型まで、多数が製作され販売されている。これらの既成人工魚礁に墓碑を固定できるような若干の改造を加えるか又は特別な形状のものを製作し、普通の人工魚礁漁場を設営するのと同様に海底に沈めて海底霊園とする。海底霊園は、海の波の影響を受けない静謐な水深２０メートルから３０メートルの地点で、港からそれほど離れていない場所を選ぶ。【００１１】コンクリート製の箱にお骨を収容し、コンクリートで完全に密閉して墓碑とし、台座を設けた人工魚礁に鎮座させる。墓碑の大きさはダイバーがバルーンで浮揚させて沈降、移動できるものとし、クレーンなどの特別な装備を持たない、普通のクルーザーボート、漁船などの小形船舶で設置が出来るようなものを一般型とする。仏像など複雑な形状の石碑を作っても、数年のうちに付着生物で原型は保てなくなってしまう。プラスチックのプレートなどを貼り付けておけば、生物の付着はある程度抑えられ、また擦ってやれば、原型を露出させることができる【００１２】図１は設置する海底霊園ブロックの概観図である。（１）は、墓碑を置くブロックであり、図では既成の人工魚礁ブロックを例示しているが、特別な形状のものを製作する場合もある。（２）はお骨を封入した墓碑である。（２）は墓碑をブロック（１）の上面に置いた形状を示し、（３）は、墓碑をブロック（１）の内部に置いた形状である。墓碑を固定する台座（４）は、ブロックを差し渡すような形の平板となっている。差し渡す台座は、（１）のブロックが傾斜しても墓碑（２）が転落しないように、はめ込み溝（５）を設ける。墓碑（２）には移動、補修が容易にできるように、吊り揚げ用の金具（６）を付ける。【００１３】図２はこの発明の実施形態を示す概略図である。天然の磯根（７）に近接した砂地に墓碑を鎮座させたブロック（１）が設置されて海底霊園が設営される。
【実施形態の効果】
【００１４】美しい環境にあって静謐であり、拡大しても敷地の問題が無く、適切な価格で提供できる霊園、海底こそがその場であろう。霊園に人工魚礁の機能を持たせることにより、霊園が拡大すればするほど、沿岸漁業の振興に役立つという利点がある。
【００１５】ジュール・ベルヌの古典的な小説である海底二万哩では、死んだ仲間を棺に収容して、ダイバーが担いで海底の墓地に埋葬するシーンがあった。美しい海底に、恒久的な墓碑に収容して埋葬することは、海に憧れた人、海で暮らした人、にとっては理想的な霊園である。
【発明の効果】
【００１６】  不足している都市近郊の霊園を安価に作ることが出来る。海が墓場というのは海が好きだった人にとっては、大きな魅力である。日本は海に囲まれた国である。海が好きと言う人が大部分を占める。人工魚礁として沿岸漁業の役にたつのはもちろん、観光リゾートとしての価値も高まる。霊園を使う家族はダイビングを習い覚えるし、遠隔の地にある霊園への墓参よりも、近くの海への楽しい墓参の方がより多くの回数行われるだろう。多くの魚たちを集める人工魚礁になるばかりでなく、魚礁ブロックはボートを係留する錨になり、新しいダイビングポイントが出来る。
【図面の簡単な説明】
【００１７】
【図１】この発明の外観図
【図２】この発明の実施形態を示す概略図
【符号の説明】
【００１８】１  は、墓碑を置くブロック
２  は、お骨を封入した墓碑を１のブロックの上に鎮座させた形
３  は、ブロック内部に鎮座させた墓碑
４  は、墓碑を１の上面に鎮座させる台座である。
５  は、墓碑の転落を防ぐ嵌め込み溝
６  は、墓碑の移動を行う場合の吊り上げ用金具
７  は、天然の磯根
【図１】
2005102670.tif 000003
【図２】
2005102670.tif 000004